(57)【要約】【課題】ユーザーが一つの端末機を通じて衛星デジタルマルチメディア放送或いは地上波デジタルマルチメディア放送を選択的に視聴可能にする装置及びその制御方法並びにデジタルマルチメディア放送受信カードを提供する。【解決手段】デジタルマルチメディア放送再生装置は、デジタルマルチメディア放送を受信するカードと、該カードと接続されて該カードからデジタルマルチメディア放送を受信して再生する端末機とから構成される。該カードは、デジタルマルチメディア放送信号を受信して処理する受信部と、処理されたデジタルマルチメディア放送データを一時的に格納するメモリと、デジタルマルチメディア放送を再生する端末機に挿入されたときに、端末機とのインターフェーシングを制御するインターフェース部と、端末機にデジタルマルチメディア放送データを伝送するノードとを含む。【選択図】図２
2006222963.tif 000002
【特許請求の範囲】
【請求項１】
デジタルマルチメディア放送を受信するカードと、
前記カードと接続されて前記カードからデジタルマルチメディア放送を受信して再生する端末機と、から構成されることを特徴とするデジタルマルチメディア放送再生装置。
【請求項２】
前記カードが、
デジタルマルチメディア放送信号を受信して処理するための受信部と、
前記処理されたデジタルマルチメディア放送データを一時的に格納するためのメモリと、
前記端末機とのインターフェーシングを制御するためのインターフェース部と、
前記端末機にチップ選択信号、データ、クロック信号を伝送するためのノードと、
を含むことを特徴とする請求項１記載のデジタルマルチメディア放送再生装置。
【請求項３】
前記受信部が、
高周波デジタルマルチメディア放送信号を受信する無線部と、
前記高周波デジタルマルチメディア放送信号を基底帯域信号に変換して復調する復調部と、
前記受信、変換、及び復調を制御する制御部と、
を含むことを特徴とする請求項２記載のデジタルマルチメディア放送再生装置。
【請求項４】
前記端末機が、
データイネーブルのためのチップ選択信号と、衛星デジタルマルチメディア放送或いは地上波デジタルマルチメディア放送のデコーディングのためのアルゴリズム選択信号を出力する制御部と、
前記カードから直接クロック信号とデジタルマルチメディア放送データを受信し、前記制御部からチップ選択信号とアルゴリズム選択信号を受信して地上波或いは衛星デジタルマルチメディア放送のビデオ/オーディオデータを処理するデジタル信号処理部と、
を含むことを特徴とする請求項１記載のデジタルマルチメディア放送再生装置。
【請求項５】
前記受信部が地上波デジタルマルチメディア放送信号を受信することを特徴とする請求項２記載のデジタルマルチメディア放送再生装置。
【請求項６】
前記受信部が、衛星デジタルマルチメディア放送信号を受信することを特徴とする請求項２記載のデジタルマルチメディア放送再生装置。
【請求項７】
前記制御部が、前記カードの挿入が感知されると、カードの種類を検出して衛星デジタルマルチメディア放送或いは地上波デジタルマルチメディア放送のデコーディングのためのアルゴリズム選択信号を出力することを特徴とする請求項４記載のデジタルマルチメディア放送再生装置。
【請求項８】
前記カードの種類検出は、ＣＭＤラインを通じて、前記挿入されたカードがＩ/Ｏ(Ｉｎｐｕｔ/Ｏｕｔｐｕｔ)カードであるか、或いはメモリカードであるかをまず判定し、その結果がＩ/Ｏカードと判定されるときに、地上波カードであるか或いは衛星カードであるかを判定することを特徴とする請求項７記載のデジタルマルチメディア放送再生装置。
【請求項９】
デジタルマルチメディア放送を受信するためのカードを挿入可能な端末機におけるデジタルマルチメディア放送を再生する方法であって、
前記カードの挿入を感知し、前記カードの種類を分析する段階と、
前記カードの種類に基づいて、地上波或いは衛星デジタルマルチメディア放送信号のうちいずれか一つが受信されるかを判定する段階と、
前記判断結果により、地上波或いは衛星デジタルマルチメディア放送を制御する段階と、
を有することを特徴とする方法。
【請求項１０】
前記カードの種類を分析する段階は、
Ｉ/Ｏカードであるか或いはメモリカードであるかを判定する段階と、
前記カードがＩ/Ｏカードである場合に、地上波カードであるか或いは衛星カードであるかを判定する段階と、
を有することを特徴とする請求項９記載の方法。
【請求項１１】
デジタルマルチメディア放送信号を受信して処理するための受信部と、
前記処理されたデジタルマルチメディア放送データを一時的に格納するためのメモリと、
デジタルマルチメディア放送を再生するための端末機に挿入されたときに、前記端末機とのインターフェーシングを制御するためのインターフェース部と、
前記端末機に前記デジタルマルチメディア放送データを伝送するためのノードと、
を含むことを特徴とするデジタルマルチメディア放送受信カード。
【請求項１２】
前記受信部が、
高周波デジタルマルチメディア放送信号を受信する無線部と、
前記高周波デジタルマルチメディア放送信号を基底帯域信号に変換して復調する復調部と、
前記受信、変換、及び復調を制御する制御部と、
を含むことを特徴とする請求項１１記載のデジタルマルチメディア放送受信カード。
【請求項１３】
デジタルマルチメディア放送信号を受信して処理するための受信部と、
デジタルマルチメディア放送を再生するための端末機にデジタルマルチメディア放送を伝送するためのデータ及び制御ノードを有し、前記端末機とのインターフェースを制御し、前記受信部で処理したデジタルマルチメディア放送データを一時的に格納するメモリカードモジュールと、
前記受信部と前記メモリカードモジュールとを結合する結合部と、
を含むことを特徴とするデジタルマルチメディア放送受信カード。
【請求項１４】
前記受信部が、
高周波デジタルマルチメディア放送信号を受信する無線部と、
前記高周波デジタルマルチメディア放送信号を基底帯域信号に変換して復調する復調部と、
前記受信、変換、及び復調を制御する制御部と、
を含むことを特徴とする請求項１３記載のデジタルマルチメディア放送受信カード。
【請求項１５】
前記カードが、前記端末機と直列ポートインターフェーシングを通じて接続されることを特徴とする請求項１３記載のデジタルマルチメディア放送受信カード。
【請求項１６】
前記デジタルマルチメディア放送信号が地上波デジタルマルチメディア放送信号であることを特徴とする請求項１３記載のデジタルマルチメディア放送受信カード。
【請求項１７】
前記デジタルマルチメディア放送信号が衛星デジタルマルチメディア放送信号であることを特徴とする請求項１３記載のデジタルマルチメディア放送受信カード。
【発明の詳細な説明】
【技術分野】
【０００１】
本発明はデジタルマルチメディア放送を受信して再生する装置及び方法に関するもので、特に、ユーザーが一つの端末機に衛星デジタルマルチメディア放送或いは地上波デジタルマルチメディア放送を選択的に視聴可能にする装置及びその制御方法、並びにデジタルマルチメディア放送受信カードに関するものである。
【背景技術】
【０００２】
デジタルマルチメディア放送を受信して再生することができる多様な端末機が発展している。これら端末機は、デジタルマルチメディア放送専用端末機はもちろんで、デジタルマルチメディア放送受信及び再生が可能な携帯用無線電話機や個人携帯端末機(Ｐｅｒｓｏｎａｌ  Ｄｉｇｉｔａｌ  Ａｓｓｉｓｔａｎｔ：ＰＤＡ)のような移動通信端末機(Ｍｏｂｉｌｅ  Ｅｑｕｉｐｍｅｎｔ：ＭＥ)を含む。
【０００３】
図１は、デジタルマルチメディア放送の受信及び再生のための従来の移動通信端末機の構造を示すブロック構成図である。
【０００４】
移動通信端末機が、デジタルマルチメディア放送を受信して再生するためには、少なくともデジタルマルチメディア放送受信のためのＲＦ(Ｒａｄｉｏ  Ｆｒｅｑｕｅｎｙ)部５２と、復調部５４と、デジタル信号処理部(Ｄｉｇｉｔａｌ  Ｓｉｇｎａｌ  Ｐｒｏｃｅｓｓｏｒ：ＤＳＰ)５６と、メモリ部６０と、これらを制御する制御部５８とを含む。
【０００５】
ところで、衛星デジタルマルチメディア放送と地上波デジタルマルチメディア放送は、相互に異なる周波数で送出される。したがって、衛星(ｓａｔｅｌｌｉｔｅ)デジタルマルチメディア放送受信が可能な端末機では、地上波(ｔｅｒｒｅｓｔｒｉａｌ)デジタルマルチメディア放送の受信が不可能である。また、地上波デジタルマルチメディア放送の受信が可能な端末機では、衛星デジタルマルチメディア放送の受信が不可能である。したがって、これら２つの放送をすべて視聴しようとするユーザーは、２つのＭＥを有しなければならない。これは、ユーザーに非常に煩わしいだけでなく、経済的にも負担になるという問題があった。
【発明の開示】
【発明が解決しようとする課題】
【０００６】
したがって、上記のような従来技術の問題点を解決するために、本発明の目的は、ユーザーが一つの端末機を通じて衛星デジタルマルチメディア放送或いは地上波デジタルマルチメディア放送を選択的に視聴可能にする装置及びその制御方法、並びにデジタルマルチメディア放送受信カードを提供することにある。
【課題を解決するための手段】
【０００７】
上記の課題を実現するために、本発明は、デジタルマルチメディア放送再生装置が、デジタルマルチメディア放送を受信するカードと、前記カードと接続されて前記カードからデジタルマルチメディア放送を受信して再生する端末機とから構成されることを特徴とする。すなわち、相互に異なるＲＦ部と復調部を有する２種類の脱着式カードを用いて、一つの端末機で地上波又は衛星放送を視聴するように構成する。
【０００８】
また、本発明は、デジタルマルチメディア放送を受信するためのカードを挿入可能な端末機におけるデジタルマルチメディア放送を再生する方法であって、前記カードの挿入を感知し、前記カードの種類を分析する段階と、前記カードの種類に基づいて、地上波或いは衛星デジタルマルチメディア放送信号のうちいずれか一つが受信されるかを判定する段階と、前記判断結果により、地上波或いは衛星デジタルマルチメディア放送を制御する段階とを有することを特徴とする。
【０００９】
他に、本発明は、デジタルマルチメディア放送受信カードが、デジタルマルチメディア放送信号を受信して処理するための受信部と、前記処理されたデジタルマルチメディア放送データを一時的に格納するためのメモリと、デジタルマルチメディア放送を再生するための端末機に挿入されたときに、前記端末機とのインターフェーシングを制御するためのインターフェース部と、前記端末機に前記デジタルマルチメディア放送データを伝送するためのノードとを含むことを特徴とする。
【発明の効果】
【００１０】
本発明は、相互に異なる周波数を有している２つの脱着式カード形態のデジタルマルチメディア放送受信器を実現することによって、カードの取り替えだけで一つの端末機で衛星又は地上波デジタルマルチメディア放送をすべて視聴可能なため、便利で、かつ経済的な効果を奏する。
【発明を実施するための最良の形態】
【００１１】
以下、本発明の望ましい実施形態を添付の図面を参照して詳細に説明する。
下記の図面説明において、同一の構成要素に対してはできるだけ同一の参照符号又は参照番号を付して説明する。また、具体的なノード名、ヘッダー値などの特定事項は、本発明の全般的な説明の便宜のために提供する。しかしながら、これら特定事項がなくても本発明が実施可能であることは、当該技術分野で通常の知識を持つ者には自明なことであろう。なお、本発明に関連した公知の機能或いは構成に関する具体的な説明が、本発明の要旨を不明にすると判断された場合には、その詳細な説明を省略する。
【００１２】
本発明は、ユーザーが一つの端末機で衛星デジタルマルチメディア放送或いは地上波デジタルマルチメディア放送を選択的に視聴可能に受信部分と再生部分を機構的に分離する。すなわち、受信部は、衛星デジタルマルチメディア放送用メモリカードと地上波デジタルマルチメディア放送用メモリカードで実現し、再生部分のある端末機に脱着可能に構成する。２種類のカードは、従来の移動通信端末機の本体にあるＲＦ部分と基底帯域の処理及び復調部分を別途のロジックで構成することが含まれる。しかしながら、衛星デジタルマルチメディア放送と地上波デジタルマルチメディア放送のデジタル信号処理部(Ｄｉｇｉｔａｌ  Ｓｉｇｎａｌ  Ｐｒｏｃｅｓｓｉｎｇ  ｕｎｉｔ：ＤＳＰ）は、共有が可能なため、移動通信端末機の本体にそのまま含まれる。言い換えれば、ＤＳＰは衛星デジタル信号及び地上波デジタル信号をデコーディングするためのソフトウェアをすべて含む。
【００１３】
図２は、本発明の望ましい実施形態による一つのデジタルマルチメディア放送を再生する端末機と使用する周波数が異なってＲＦ部分と基底帯域処理部分が相互に異なる２種類のデジタルマルチメディア放送の受信カードの構成を示す図である。希望する放送を視聴したいときに、ユーザーは必要なカードを移動端末機に挿入すれば良い。
【００１４】
デジタルマルチメディア放送を再生するための端末機は、専用端末機形態でも、或いは多機能端末機(ｍｕｌｔｉ-ｐｕｒｐｏｓｅ  ｔｅｒｍｉｎａｌ)形態でも実現可能である。本実施形態では、多機能端末機である場合を仮定して説明する。
【００１５】
第１及び第２のカードＣＡ１，ＣＡ２は、各々地上波カードと衛星カードである。この第１及び第２のカードＣＡ１，ＣＡ２は、すべてデジタルマルチメディア放送信号を受信するための受信部と、デジタルマルチメディア放送信号を一時的に格納するためのメモリ部３３０と、移動通信端末機(ＭＥ)とのＳＰＩ(Ｓｅｒｉａｌ  Ｐｏｒｔ  Ｉｎｔｅｒｆａｃｅ)のインターフェーシングを制御するためのインターフェース部３２０と、カード入/出力のためのノードで構成された入/出力部３１５とを含む。
【００１６】
第１のカードＣＡ１の受信部は、アンテナＡＮＴを通じて地上波デジタルマルチメディア放送信号を受信するＲＦ部５１０と、地上波デジタルマルチメディア放送信号を基底帯域信号に変換して復調する地上波基底帯域処理/復調部５３０と、受信及び変換を制御する制御部５２０とを含む。
【００１７】
第２のカードＣＡ２の受信部は、アンテナＡＮＴを通じて衛星デジタルマルチメディア放送信号を受信するＲＦ部５１５と、衛星デジタルマルチメディア放送信号を基底帯域信号に変換して復調する衛星基底帯域処理/復調部５３５と、受信及び変換を制御する制御部５２５とを含む。
【００１８】
メモリ部３３０は、フラッシュメモリで実現可能である。
【００１９】
インターフェース部３２０は、第１のカードＣＡ１又は第２のカードＣＡ２を本体である移動通信端末機(ＭＥ)とインターフェーシングし、例えば、ＳＰＩ通信方式で実現することができる。
【００２０】
入/出力部３１５は、ＣＳ(Ｃｈｉｐ  Ｓｅｌｅｃｔｉｏｎ)ノード３１１と、ＳＤＩノード３１２と、ＣＬＫノード３１３とを含む。ＣＳノード３１１がアクティブ(ａｃｔｉｖｅ)状態であるときに、第１のカードＣＡ１又は第２のカードＣＡ２から移動通信端末機にデータの伝送が可能である。ＳＤＩノード３１２は、第１のカードＣＡ１又は第２のカードＣＡ２から移動通信端末機にデータを伝送するために使用される。ＣＬＫノード３１３を通じて出力されるクロック信号は、第１のカードＣＡ１又は第２のカードＣＡ２から移動通信端末機にデータを伝送するときに、相互に同期させるために使用される。
【００２１】
移動通信端末機(ＭＥ)は、デジタルマルチメディア放送のビデオ/オーディオデータを処理するＤＳＰ２１０と、制御部２２０とを含む。図２において、最終的に処理されたビデオ信号とオーディオ信号を出力する表示部及びスピーカなどは示していない。デジタルマルチメディア放送と関係ない他の機能、例えば、移動通信端末機がデジタルマルチメディア放送機能を有する携帯電話機である場合には通話機能、移動通信端末機がナビゲーション端末機である場合にはナビゲーション機能のような構成要素も示していない。
【００２２】
制御部２２０は、第１のカードＣＡ１又は第２のカードＣＡ２が挿入され、第１のカードＣＡ１又は第２のカードＣＡ２のＣＳノードがアクティブ状態になったときに、ＤＳＰ２１０にチップ選択(ＣＳ)信号を出力する。また、制御部２２０は、第１のカードＣＡ１又は第２のカードＣＡ２が端末機に挿入されると、ＣＭＤ(Ｃｏｍｍｅｎｄ)信号を用いて衛星デジタルマルチメディア放送であるか、或いは地上波デジタルマルチメディア放送であるかを確認する。その結果により、制御部２２０は、該当処理のためのアルゴリズム選択信号ＳＷ-ｓｅｌをＤＳＰ２１０に出力する。
【００２３】
ＤＳＰ２１０には、第１のカードＣＡ１又は第２のカードＣＡ２のＣＬＫノード３１３とＳＤＩノード３１２を通じてクロック信号ＣＬＫとデータＤＡＴが直接入力される。
【００２４】
図３は、本発明の望ましい実施形態によるデジタルマルチメディア放送を再生するための端末機で、衛星或いは地上波デジタルマルチメディア放送を区別して処理する方法を示すフローチャートである。
【００２５】
ユーザーによって第１のカードＣＡ１又は第２のカードＣＡ２が端末機に挿入されると、制御部２２０は、これを感知し、ステップＳ３Ａで、挿入されたカードを初期化(例えば、レジスタをデフォルト(ｄｅｆａｕｌｔ)値に設定)を実施する。そして、ステップＳ３Ｂで、制御部２２０は、挿入されたカードがＩ/Ｏカードであるか、或いはメモリカードであるかを判定する。その結果、挿入されたカードがＩ/Ｏカードである場合に、制御部２２０は、ステップＳ３Ｃに進行し、挿入されたカードが地上波カードであるか、或いは衛星カードであるかを判定する。その結果、挿入されたカードが地上波カードである場合に、制御部２２０は、ステップＳ３Ｄに進行し、地上波ＤＭＢ受信信号のデコーディングを準備する。一方、挿入されたカードが衛星カードであると、制御部２２０は、ステップＳ３Ｅに進行し、衛星ＤＭＢ受信信号のデコーディングを準備する。ここで、デコーディングを準備するということは、ＤＳＰ２１０が実行させるソフトウェア、すなわち、地上波ＤＭＢ受信信号のデコーディングソフトウェア、又は衛星ＤＭＢ受信信号のデコーディングソフトウェアのうちの一つを決定することを意味する。
【００２６】
ステップＳ３Ｂ又はステップＳ３Ｃで、端末機に入力されるカード種類の判定は、ＣＭＤを用いて実施可能である。ＳＤＩＯカードスロットにはＳＤＩＯカード又はＳＤメモリカードが挿入されるため、まず、ＳＤＩＯカードであるか、或いはＳＤメモリカードであるかを判定する。その後に、次のＣＭＤにより地上波カードであるか衛星カードであるかを判定するようにする。ＣＭＤは、ソフトウェアを用いることで実現可能である。下記に、ＣＭＤについて具体的に説明する。
【００２７】
ＳＤカードは、ＳＤＩＯカード又は一般メモリカードとして使用可能である。また、ＳＤカードは、一般ＳＤモードとＳＰＩモードとして使用可能である。ＣＭＤは、ＳＤカードのＳＤモードで動作を遂行させるための命令(ｃｏｍｍａｎｄ)を意味する。図示しないが、ＳＤカードがＳＤモードで使用されるときは、データ、クロック、ＣＭＤラインを通じて使用される。したがって、実際のデータはデータラインを通じて伝送され、データの読み出し及び書き込みの命令語はＣＭＤラインを通じて伝送される。ＣＭＤにより、カードをＳＤＩＯカードとして使用するか、或いは一般メモリカードとして使用するかが判定される。ＳＤＩＯカード規格によると、複数のＣＭＤが定義されて使用されるが、ＣＭＤ５もそのうちの一つである。ＳＤカードを初期化した後に、このＣＭＤ５をＳＤカードに送信する。このＳＤカードからＳＭＤ５に応答が受信されると、ＳＤカードはＳＤＩＯカードとして認知すれば良い。ＳＤカードがＳＤＩＯカードとして使用することを認知した後には、いずれの種類のＳＤＩＯカードとして使用するかを決定する。この場合にも、移動端末機(ＭＥ)は、ＣＭＤラインを通じて決定可能である。移動端末機は、本体からカードの方にＣＭＤラインを通じてこの移動端末機に挿入されるＤＭＢカードの種類を決定するようにカードに信号を送る。移動端末機は、ＣＭＤラインを通じて受信した値に基づいて地上波ＤＭＢであるか或いは衛星ＤＭＢであるかを判定する。もし、地上波ＤＭＢカードとして認識すると、地上波ＤＭＢソフトウェアが動作し、衛星ＤＭＢカードとして認識すると、衛星ＤＭＢソフトウェアが動作する。カードの認知を終了した後に、ＤＭＢデータを伝送するためにＳＤモードからＳＰＩモードに切り替えてデータを移動端末機のＤＳＰ２１０に伝送する。
【００２８】
図４は、本発明の他の望ましい実施形態によるデジタルマルチメディア放送再生端末機とデジタルマルチメディア放送受信カードの構成を示す図である。
【００２９】
メモリカードは、電源の供給がなくても格納されたデータが削除されない不揮発性(ｎｏｎｖｏｌａｔｉｌｅ)メモリとして、その種類が多様である。例えば、メモリカードは、ＣＦ(Ｃｏｍｐａｃｔ  Ｆｌａｓｈ)のタイプＩ/ＩＩ、ＰＣＭＣＩＡ(Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ)、ＳＤＩＯ(Ｓｅｃｕｒｅ  Ｄｉｇｉｔａｌ  Ｉｎｐｕｔ  Ｏｕｔｐｕｔ)、及び一般カードなどを含む。次に、ＳＤＩＯカードを用いる場合を例として説明する。
【００３０】
移動通信端末機(ＭＥ)で、デジタルマルチメディア放送ビデオ/オーディオデータを処理するＤＳＰチップが、ＳＰＩ通信方式を使用する場合に、メモリカードもＳＰＩ通信方式を使用すべきである。ＳＰＩ通信方式は、ＳＤＩＯカードが多様なプロセッサと接続可能に支援する方式のうちの一つである。
【００３１】
ＳＤＩＯカードをＳＰＩモードで用いるときに、各ノードは次のように定義される。
ＣＳノード３１１は、地上波カードであるカードＣＡ３又は衛星カードであるカードＣＡ４から移動通信端末機にデータを伝送するときに、データイネーブル(ｄａｔａ  ｅｎａｂｌｅ)のためのチップ選択ノードである。ＣＬＫノード３１３は、カードＣＡ３或いはカードＣＡ４から移動通信端末機にデータを伝送するときに、相互に同期させるためのクロックノードである。ＳＤＩノード３１４は、カードＣＡ３又はカードＣＡ４へのデータ伝送のためのノードである。図示していないが、ＳＤＩＯカードの規格により、公知の電源関連ノードと予備ノードも更に含むことが可能である。
【００３２】
結合部(ｃｏｕｐｌｉｎｇ  ｕｎｉｔ)４５０は、カードモジュール３５０と受信部５５０とを結合するためのものである。参照番号３５０は、該当部分が公知のＳＤＩＯカードと同じ構成を有するが、独立的なカード形態でなく、結合部４５０及び受信部５５０と共に一つのカード形態で構成される。したがって、参照番号３５０は、“ＳＤＩＯカードモジュール”と呼ばれる。また、受信部５５０は、衛星デジタルマルチメディア放送用と地上波デジタルマルチメディア放送用に区別して製造されるが、ＳＤＩＯカードモジュール３５０は放送のために共有される。したがって、結合部４５０も、衛星デジタルマルチメディア放送用の受信部とＳＤＩＯカードモジュールを接続するために使用されるか、または地上波デジタルマルチメディア放送用受信部とＳＤＩＯカードモジュールを接続するために使用されるように、互換性を有するように実現することができる。
【００３３】
メモリ部３３０は、フラッシュメモリで実現可能である。
【００３４】
以上、本発明の具体的な実施形態に関して詳細に説明したが、本発明の範囲を外れない限り、様々な変形が可能であることは、当該技術分野における通常の知識を持つ者には自明なことであろう。したがって、本発明の範囲は、上述した実施形態に限定されるものではなく、特許請求の範囲及びこの特許請求の範囲と均等なものに基づいて定められるべきである。
【図面の簡単な説明】
【００３５】
【図１】デジタルマルチメディア放送の受信及び再生のための従来の移動通信端末機の構造を示すブロック構成図である。
【図２】本発明の望ましい実施形態によるデジタルマルチメディア放送を再生するための端末機と、デジタルマルチメディア放送を受信するためのカードのブロック構成図である。
【図３】本発明の望ましい実施形態によるデジタルマルチメディア放送の再生のための端末機で、衛星或いは地上波デジタルマルチメディア放送を区別して処理する手順を示すフローチャートである。
【図４】本発明の望ましい他の実施形態によるデジタルマルチメディア放送を再生するための端末機と、デジタルマルチメディア放送を受信するためのカードのブロック構成図である。
【符号の説明】
【００３６】
ＭＥ        移動通信端末機
２１０      ＤＳＰ
２２０      制御部
ＣＡ１      地上波カード
ＣＡ２      衛星カード
３１１      ＣＳノード
３１２      ＳＤＩノード
３１３      ＣＬＫノード
３１５      入/出力部
３２０      インターフェース部
３３０      メモリ部
３５０      カードモジュール
４５０      結合部
５１０      ＲＦ部
５１５      ＲＦ部
５２０      制御部
５２５      制御部
５３０      地上波基底帯域処理/復調部
５３５      衛星基底帯域処理/復調部
５５０      受信部
【図１】
2006222963.tif 000003
【図２】
2006222963.tif 000004
【図３】
2006222963.tif 000005
【図４】
2006222963.tif 000006